(57)【要約】【課題】センサーを用いて、布団類に付着又は生息するアレルゲンの検出量を監視し、アレルゲンの量が異常と判断する場合に使用者に対して洗濯乾燥案内を通知する洗濯システムを提供する。【解決手段】実施形態の洗濯システムは、布団類に付着又は生息するアレルゲンを検出して定期的に出力するセンサーと、前記センサーから通信網を介して取得した検出データを随時記憶すると共に、その蓄積結果から前記アレルゲンの量が異常と判断する場合に前記布団類の洗濯乾燥案内を出力するサーバと、前記サーバから前記通信網を介して前記洗濯乾燥案内を受信する携帯端末と、を有する。【選択図】図１
2020203015.tif 000002
【特許請求の範囲】
【請求項１】
布団類に付着又は生息するアレルゲンを検出して定期的に出力するセンサーと、
前記センサーから通信網を介して取得した検出データを随時記憶すると共に、その蓄積結果から前記アレルゲンの量が異常と判断する場合に前記布団類の洗濯乾燥案内を出力するサーバと、
前記サーバから前記通信網を介して前記洗濯乾燥案内を受信する携帯端末と、
を有する洗濯システム。
【請求項２】
前記センサーは、前記布団類の撮影面を映し出したデジタル画像を解析して、ダニ糞を含むダニの量を計測して定期的に出力するダニセンサーであり、
前記サーバは、前記ダニセンサーから前記通信網を介して取得した前記ダニの量の測定値を随時記憶すると共に、その蓄積結果から前記ダニの量が異常と判断する場合に前記布団類の洗濯乾燥案内を出力する
請求項１に記載の洗濯システム。
【請求項３】
前記ダニセンサーは、前記測定値又は前記測定値とデジタル画像を前記通信網を介して前記サーバに送信する請求項２に記載の洗濯システム。
【請求項４】
前記センサーは、前記布団類の撮影面を映し出したデジタル画像を定期的に出力するダニセンサーであり、
前記サーバは、前記通信網を介して取得した前記デジタル画像を随時記憶すると共に、当該デジタル画像を解析してダニ糞を含むダニの量を測定した測定値を記憶し、その蓄積結果から前記ダニの量が異常と判断する場合に前記布団類の洗濯乾燥案内を出力する
請求項１に記載の洗濯システム。
【請求項５】
前記携帯端末は、前記ダニセンサーから出力された前記デジタル画像を前記通信網を介して前記サーバに送信する請求項４に記載の洗濯システム。
【請求項６】
前記携帯端末は、前記ダニセンサーに貼り付けられるＱＲコード（登録商標）を読み取ることにより、前記サーバへのユーザ登録を実施し、
前記サーバに設定される測定値データベースに前記測定値が随時記憶される請求項２又は請求項４に記載の洗濯システム。
【請求項７】
前記サーバは、前記洗濯乾燥案内と共に割引クーポン付ＱＲコードを作成して前記携帯端末に送信する請求項２又は請求項４に記載の洗濯システム。
【請求項８】
前記通信網に接続されるコインランドリーを更に有し、
前記コインランドリーは、前記携帯端末に表示される前記割引クーポン付ＱＲコードを読み取ることにより、ダニ退治の布団専門コースを自動設定する請求項７に記載の洗濯システム。
【請求項９】
前記サーバは、前記コインランドリーにおける前記割引クーポン付ＱＲコードの読み取り情報を受信することで、当該布団類の洗濯乾燥を終了する請求項８に記載の洗濯システム。
【請求項１０】
前記サーバは、前記割引クーポン付ＱＲコードの読み取り情報が所定期間内に通知されない場合、前記洗濯乾燥案内および前記割引クーポン付ＱＲコードを再発行して前記携帯端末に通知する請求項９に記載の洗濯システム。
【発明の詳細な説明】
【技術分野】
【０００１】
本発明の実施形態は、布団等の寝具に付着又は生息するアレルゲン対策として、使用者に対して洗濯乾燥時期を案内する洗濯システムに関する。
【背景技術】
【０００２】
現代病の一つとして、アレルギー性疾患がある。アレルギーといってもその種類・症状は様々であり、「抗原」となるアレルゲンの種類によって、引き起こされるアレルギー症状も違っている。アレルゲンの種類には食物・薬物・室内のゴミやホコリ（ハウスダスト＝ペット類の毛やダニなど）・花粉などがあり、それらのアレルゲンによって誘発され、じんましん・皮膚炎・ぜん息・発熱などを発症することが知られている。中でも、布団等の寝具には、花粉、ペットの毛が付着したり、ダニ類が生息するため、定期的な洗濯乾燥が望まれる。特に、ダニ類は、ダウンケットや毛布を含む布団類にて多数繁殖し、そのダニによって皮膚が噛まれたり、埃と共にダニの糞や屍骸を吸い込んだりすることで、アトピー性皮膚炎や気管支喘息等を人体に誘引することが知られている。
【０００３】
最近は、殆どの家屋の窓はサッシュ等で作られていることや、羽毛布団が使用されることにより、ダニが生息するのに都合の良い環境が作り出されている。そのため、ダニの繁殖を助長することになり、人体に害を及ぼすダニ対策は重要な問題となっている。しかしながら、人々は、そのようなダニ類を駆除するために、ダニセンサー付きの掃除機などを使用して簡単な対策を講じる程度であった。
【０００４】
また、布団類などのダニやダニ糞の除去を効果的に行うとする洗濯乾燥機などが開発されているが、市販の洗濯乾燥機ではサイズが小さく、また発熱量も小さい。したがって、コインランドリー等に設置される大型の洗濯乾燥機に比べると、十分なダニ駆除ができていない。
【先行技術文献】
【特許文献】
【０００５】
【特許文献１】特開２０１７−１７６５６２号公報
【特許文献２】特許第５８４４９３５号公報
【特許文献３】実用新案登録第３２１６００２号公報
【発明の概要】
【発明が解決しようとする課題】
【０００６】
発明が解決しようとする課題は、布団類に付着又は生息するアレルゲン（花粉、ペットの毛、ダニ類）の量を検出監視し、その値が異常値を示す場合に使用者に対して洗濯乾燥案内が通知できる洗濯システムを提供することにある。
【課題を解決するための手段】
【０００７】
実施形態の洗濯システムは、センサーと、サーバと、携帯端末とを有する。前記センサーは、布団類に付着又は生息するアレルゲンを検出して定期的に出力する。前記サーバは、前記センサーから通信網を介して取得した検出データを随時記憶すると共に、その蓄積結果から前記アレルゲンの量が異常と判断する場合に前記布団類の洗濯乾燥案内を出力する。前記携帯端末は、前記サーバから前記通信網を介して前記洗濯乾燥案内を受信する。
【図面の簡単な説明】
【０００８】
【図１】実施形態に係る洗濯システムの構成を示す図。
【図２】実施形態に係るダニセンサーを示す図。
【図３】実施形態に係るダニセンサーを購入した際のユーザ登録の動作を示す図。
【図４】実施形態に係るＩｏｔサーバのデータベースに登録されてユーザ一覧の例を示す図。
【図５】本洗濯システムの第１の動作例を示す図。
【図６】本洗濯システムの第２の動作例を示す図。
【図７】スマートフォンに表示される洗濯乾燥案内と割引クーポン付ＱＲコードの一例を示す図。
【図８】ダニおよびダニの糞を計測値をＩｏｔサーバのデータベースに登録した例を示す図。
【発明を実施するための形態】
【０００９】
以下、図面を参照して本発明の実施形態の詳細について説明する。実施形態では、布団類に付着又は生息するアレルゲンのセンサーとして、ダニセンサーを例に説明するが、他の花粉やペットの毛を対象とするセンサーを使用して検出監視するものでも良い。
【００１０】
図１は、本発明の実施形態に係る洗濯システムの構成を示す図である。洗濯システムは、ダニセンサー１０、スマートフォンやタブレット等の携帯端末（以下、スマートフォンを例に説明する）２０、Ｉｏｔサーバ３０、コインランドリー４０等で構成されている。ダニセンサー１０は、ダウンケットや毛布を含む布団類５０に取り付けられ、布団類の撮影面の画像を取り込み、布団類５０に付着又は生息するダニの量やダニ糞の量などを計測する。その計測結果は、無線通信によりインターネット等の通信網６０を介してＩｏｔサーバ３０に送信される。スマートフォン２０は、使用者７０が所有する市販の携帯端末である。スマートフォン２０には、ダニセンサー１０を購入（レンタル購入も含む）した際に、洗濯システムを運用するアプリケーションがインストールされる。使用者７０は、スマートフォン２０を使用してＩｏｔサーバ３０に対してユーザ登録の設定を行う。
【００１１】
Ｉｏｔサーバ３０は、インターネット等の通信網６０を介してダニセンサー１０、スマートフォン２０、コインランドリー４０と通信可能である。また、Ｉｏｔサーバ３０は、大容量のデータベースを構築しており、そのデータベースにダニセンサー１０を購入した使用者のユーザ登録情報を記憶するテーブルや、各ダニセンサー１０からの計測情報を随時記憶して蓄積する測定値データベース等を有している。
【００１２】
図２は、実施形態に係るダニセンサー１０の構成を示す図である。ダニセンサー１０は、ボックス１００内に実装される顕微鏡１１０、薄型カメラ１２０、タイマー１３０、電池１４０、画像解析部１５０、送信部１６０等から構成される。これらの構成要素の一部又は全部は、１チップ化してボックス１００に収納するものでも良い。ボックス１００は、ネットとピン類、或いはマジックテープ（登録商標）等によって布団類の取付け面（撮影面）に取付けられる。
【００１３】
顕微鏡１１０は、透明な布団取付け面（撮影面）１７０との間の焦点が予め設定されており、透明な布団取付け面１７０に対向する布団等の撮影面のダニおよびダニ糞を映し出し、その画像を薄型カメラ１２０に出力する。透明な布団取付け面１７０は、変形できない硬いプラスチック等で構成すると良い。薄型カメラ１２０は、顕微鏡１１０から入力される画像をデジタル化して画像解析部１５０に出力する。画像解析部１５０は、受信したデジタル画像を内部メモリに一次記憶した後、その画像の解析を行って、ダニ糞を含むダニの量を計測し、その測定値情報又は測定値情報とデジタル画像を送信部１６０に出力する。送信部１６０は、受信した測定値情報又は測定値情報とデジタル画像を図１の通信網６０を介してＩｏｔサーバ３０に送信する。また、ダニセンサー１０の上面には、本洗濯システムを運用するアプリケーションをスマートフォン２０にインストールするためのＱＲコード（登録商標）１８０が貼り付けられている。
【００１４】
図２の実施形態では、顕微鏡１１０と、薄型カメラ１２０とを別々に構成したが、カメラ付き顕微鏡であっても良い。また、画像解析部１５０を持たない構成として、取り込んだデジタル画像を送信部１６０からＩｏｔサーバ３０に送信するように構成しても良い。この場合、画像解析によるダニ糞を含むダニの量の計測は、Ｉｏｔサーバ３０によって処理する。画像解析部１５０を持たない構成とすることで、ダニセンサー１０を廉価に製造することが出来る。また、ダニセンサー１０だけの販売ではなく、ダニセンサー付きの専用布団を販売又は配布するものであっても良い。
【００１５】
図３は、ダニセンサー１０を購入（レンタル購入も含む）した際のユーザ登録の動作を示す図である。図３において、ダニセンサー１０を購入した際（ステップＳ３００）、使用者７０は、ダニセンサー１０に基づいて洗濯乾燥案内の通知が受けられるようにシステムにユーザ登録を行う。ユーザ登録の作業として、まずスマートフォン２０を用いて、図２に示したＱＲコード１８０を読み取る（ステップＳ３１０）。すると、スマートフォン２０は、通信網６０を介してＩｏｔサーバ３０に接続され、Ｉｏｔサーバ３０から本洗濯システム用のアプリケーションがダウンロードされる。更に、Ｉｏｔサーバ３０からスマートフォン２０の使用者７０に対し、ユーザ登録に関する問合せ事項が送信される（ステップＳ３２０）。使用者７０は、スマートフォン２０を用いて、問合せ内容に基づいて必要項目を入力する（ステップＳ３３０）。Ｉｏｔサーバ３０は、ユーザ設定項目が正常に入力されたと判断すると、仮ユーザ登録を実行して使用者７０のスマートフォン２０の登録された番号に通知する（ステップＳ３４０）。使用者７０は、仮ユーザ登録通知を受信してアプリケーケーションを起動すると、ユーザ登録が完了する（ステップＳ３５０）。そして、ダニセンサー１０は、布団類に取り付けて作業を終える（ステップＳ３６０）。
【００１６】
図４は、Ｉｏｔサーバ３０のデータベースに登録されてユーザ一覧の例を図示する。ユーザ登録情報としては、ダニセンサー番号、ユーザ名、登録日、連絡先番号又はアドレス、対象物等が登録される。なお、連絡先番号又はアドレスは、使用者の希望に応じて設定して良い。例えば、スマートフォン２０の携帯電話番号を希望する場合は、その携帯電話番号を問合せ時に入力して、設定する。また、Ｅメール、Ｇメール、ＬＩＮＥ等での通知を希望する使用者は、そのアドレスを問合せ時に入力して設定すれば良い。
【００１７】
次に、本洗濯システムの動作を説明する。
図５は、本洗濯システムの第１の動作例を示す図である。第１の動作例は、図２に示したダニセンサー１０を使用した場合の動作です。即ち、ダニセンサー１０の画像解析部１５０が、デジタル画像を解析してダニ糞を含むダニの量を測定する場合の動作を示している。
【００１８】
先ず、図２のタイマー１３０の出力を受けて、定期的に電池１４０から画像解析部１５０、および送信部１６０に電力が供給される。これにより、ダニセンサー１０の画像解析部１５０が動作して、定期的に顕微鏡１１０−薄型カメラ１２０によって映し出されたデジタル画像からダニ糞を含むダニの量を測定する（ステップＳ５００）。測定するタイミングは、一日一回、明るい昼間が好ましい。測定するタイミングは、２−３日に１回、照明のある夜間でも良い。ダニセンサー１０は、測定したダニの測定情報（又は測定情報とデジタル画像）を送信部１６０からＩｏｔサーバ３０に送信する（ステップＳ５１０）。測定情報（又は測定情報とデジタル画像）の送信は、測定時間に関係なく夜間に実施しても良い。Ｉｏｔサーバ３０は、測定情報（又は測定情報とデジタル画像）を受信（受付）して（ステップＳ５２０）、内部の測定値データベースに随時登録して蓄積する（ステップＳ５３０）。
【００１９】
Ｉｏｔサーバ３０は、測定値データベースの測定値、並びに測定値の推移状況を常時監視している（ステップＳ５４０）。そして、ダニ糞を含むダニの量の測定値が異常と判断する閾値を越えると判定した場合（ステップＳ５４０のＹｅｓ）、「洗濯乾燥」のお知らせ通知を作成すると共に、割引クーポン付ＱＲコードを作成して、使用者７０のスマートフォン２０の電話番号又はアドレスに送信する（ステップＳ５５０）。使用者７０のスマートフォン２０は、Ｉｏｔサーバ３０からの洗濯乾燥案内を受信する（ステップＳ５６０）。洗濯乾燥案内と同時に、Ｉｏｔサーバ３０から提携主のコインランドリー４０に洗濯予約を設定することができる（ステップＳ５６５）。なお、測定値が異常と判断する閾値については、後述する。
【００２０】
図７は、スマートフォン２０に表示される「洗濯乾燥」の案内と割引クーポン付ＱＲコードの一例を示す図。スマートフォン２０の画面にはＩｏｔサーバ３０から送信されたメッセージ『［ご案内］：ダニセンサーをお取り付けて頂いております布団類につきまして、洗濯乾燥の時期になりましたことをお知らせ申し上げます。○○コインランドリーにて、以下の割引クーポン付ＱＲコードを読取らせて洗濯乾燥をお願いします。』が表示される。また、画面には○○コインランドリーの予約番号（ＹＹ００１−５０１）が表示される。使用者は、スマートフォン２０に表示される予約番号をタップすれば、○○コインランドリーの予約内容を確認（日時変更可）することができる。コインランドリーの予約は、複数の予約時間を提供して、１つを選択する方式でも良い。なお、ここでは、Ｉｏｔサーバ３０から洗濯予約を自動設定するとしたが、洗濯予約を使用者のスマートフォン２０から行うようにしても良い。その場合、予約番号の代わりに、予約先のＵＲＬアドレス又は電話番号等がスマートフォン２０の画面に表示される。図７の割引クーポン付ＱＲコード２０ａは、○○コインランドリー４０における布団専用コースの設定と使用料の割引クーポンを兼ねている。
【００２１】
使用者７０は、予約に従いコインランドリー４０に該当する布団類（毛布を含む）を持ち込む。そして、コインランドリー４０に設けられた読取器（例えば、集中精算機に装備）にスマートフォン２０の画面に表示した割引クーポン付ＱＲコード２０ａを読み取らせる（ステップＳ５７０）。コインランドリー４０は、割引クーポン付ＱＲコード２０ａの読み取りに応じて、布団専用コースを自動設定して、洗濯・乾燥を行う（ステップＳ５８０）。布団専用コースでは、一般衣類と比べ、布団類を傷めない高い水位で、ドラム回転速度が速い、すすぎ時間が長い、ダニ退治が行える専用洗剤の使用等の１つ以上が自動設定され、洗濯乾燥運転を行う。なお、予約しても、その予約日時から１０分程度経過しても予約者が来ない場合は、当該予約は自動的にキャンセルされる。
【００２２】
これにより、使用者は、割引クーポン付ＱＲコード２０ａの読み取るだけで、ダニ専用の洗濯乾燥コースが自動設定できるため、コインランドリー４０における面倒な設定操作が一切開放されることになり、使用者の負担が軽減される。また、クーポンの利用により、通常価格より安い値段で洗濯・乾燥を行うサービスも受けることが出来る。
【００２３】
また、コインランドリー４０における割引クーポン付ＱＲコード２０ａの読み取り情報は、Ｉｏｔサーバ３０にも送信される（ステップＳ５９０）。これにより、システムは、布団類に付いたダニの検出量又は検出推移を監視し、異常を示すと判断した場合に、使用者に対して行った洗濯乾燥案内に基づいて、当該布団類の洗濯・乾燥が無事に終了したことが確認できる。そして、使用者のスマートフォン２０に対し、ダニセンサーの取替えを通知する（ステップＳ５９５）。なお、割引クーポン付ＱＲコード２０ａの読み取り情報に基づいて、当該ダニセンサー１０における測定情報を削除しても良いし、そのまま統計データとして保有しても良い。
【００２４】
一方、コインランドリー４０から割引クーポン付ＱＲコード２０ａの読み取り情報がＩｏｔサーバ３０に送信されず、所定の期間（例えば、１５日以上）そのまま放置されていると看做した場合、「洗濯乾燥」のお知らせ通知を再発行すると共に、割引クーポン付ＱＲコード２０ａを再発行して、使用者７０のスマートフォン２０に配信して、利用者７０に布団類の洗濯・乾燥を促する（ステップＳ５９８）。再発行のサービスは、所定回数実施後、終了する。
【００２５】
図６は、本洗濯システムの第２の動作例を示す図である。
第２の動作例では、図２に示したダニセンサー１０に画像解析部１５０が無く、画像解析はＩｏｔサーバ３０によって処理されるケースを示している。また、送信部１６０は、近距離無線通信の機能しか持たず、スマートフォン２０を介してダニおよびダニ糞を映したデジタル画像をＩｏｔサーバ３０に送信することを想定している。送信部１６０を近距離無線通信とする分、さらにダニセンサー１０を廉価に製造することが出来る。
【００２６】
図６において、ダニセンサー１０は、タイマー１３０の出力に応じて顕微鏡１１０−薄型カメラ１２０によって映し出された布団類のデジタル画像を定期的に取得する（ステップＳ６００）。撮影したダニおよびダニ糞のデジタル画像は、送信部１６０からスマートフォン２０に送信する（ステップＳ６１０）。スマートフォン２０は、受信したデジタル画像をＩｏｔサーバ３０に送信する（ステップＳ６２０）。Ｉｏｔサーバ３０は、受信したデジタル画像を内部メモリに記憶・蓄積すると共に、当該デジタル画像の解析を行い、ダニ糞を含むダニの測定値を随時内部の測定値データベースに登録する（ステップＳ６３０）。次のステップＳ６４０以降の動作は、図５のステップＳ５４０以降の動作と同じなので、その説明は省略する。
【００２７】
図８は、ダニおよびダニ糞を測定値をＩｏｔサーバ３０の測定値データベースに登録した例を示す図である。図８に示すように、測定値データベースには、ダニセンサー番号毎に、登録日時（測定日）と、測定したダニ糞を含むダニの量の測定値、およびダニおよびダニ糞のデジタル画像が登録・蓄積されている。ここで、ダニ糞を含むダニの量が異常と判断する閾値を越えると判定する場合の例について説明する。学校衛生基準では、ダニの数は１００匹／ｍ２以下、又はこれと同等のアレルゲン量以下であると設定されている。したがって、ダニおよびダニ糞の測定値が１平方メートルに換算して１００匹を超える場合、又は過去データから超えると看做すことができる場合は、測定値が異常であると判定する。また、Ｉｏｔサーバ３０の知識機能を使用して、ダニおよびダニ糞の測定値の増加傾向が、過去の傾向から見て著しく増加していると判断できる場合も、異常と判断しても良い。
【００２８】
本発明の実施形態によれば、ダニセンサーを用いて、布団類に付いたダニ類の検出量を監視し、その値が異常値を示す場合に使用者に対して洗濯乾燥案内が通知できる洗濯システムを提供することができる。これにより、毛布や布団等の寝具の洗濯乾燥が促進され、ダニが原因とされる疾病の発生を少なくすることができる。また、使用者は、割引クーポン付ＱＲコードを読み取らせるだけ、コインランドリーの洗濯乾燥機の設定が自動的に行われるので、面倒な機器設定をしなくても良くなる。
【００２９】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３０】
１０ …ダニセンサー、  ２０ …携帯端末（スマートフォン）、
２０ａ …割引クーポン付ＱＲコード  ３０ …Ｉｏｔサーバ、
４０ …コインランドリー、  ５０ …布団類、６０ …通信網、
７０ …使用者、  １００ …ボックス、  １１０ …顕微鏡、  １２０ …薄型カメラ、
１３０ …タイマー、  １４０ …電池、  １５０ …画像解析部、１６０ …送信部、
１７０…透明な布団取付け面（撮影面）、  １８０…ダニセンサーのＱＲコード
【図１】
2020203015.tif 000003
【図２】
2020203015.tif 000004
【図３】
2020203015.tif 000005
【図４】
2020203015.tif 000006
【図５】
2020203015.tif 000007
【図６】
2020203015.tif 000008
【図７】
2020203015.tif 000009
【図８】
2020203015.tif 000010